(57)【特許請求の範囲】
【請求項１】
複数の無線端末装置が共通の無線回線により基地局装置と接続され、前記基地局装置は、無線フレーム内の上り通信用帯域の区間にデマンドアサイン区間およびランダムアクセス区間を設定し、前記無線端末装置からの帯域要求情報に応じて上り通信用帯域を割り当て、前記無線端末装置は、送信するデータが発生した場合に、前記帯域要求情報を前記ランダムアクセス区間内のランダムスロットを使用して送信し、送信に成功した場合には前記基地局装置から割り当てられた通信用帯域を用いて前記データを送信する無線通信方法において、
前記無線フレーム内の上り通信用帯域の区間にさらに１以上の種類の所定のイベントのいずれかが発生したことを通知する発生通知情報を送信するための共用スロットが前記所定のイベントの種類ごとに設定され、
前記無線端末装置が、前記共用スロットのうち自装置で発生したイベントの種類に対応する共用スロットを使用して前記発生通知情報を前記基地局装置に送信するイベント発生通知ステップと、
前記基地局装置が、受信した全ての前記発生通知情報と該発生通知情報の送信に使用された共用スロットの情報に基づいて、受信した全ての前記発生通知情報に対応する前記所定のイベントの種類の全てに対してのみ、前記帯域要求情報の送信用に前記ランダムスロットの使用を許可するランダムスロット設定ステップと、
前記無線端末装置が、全ての無線端末装置に対して前記ランダムスロットの使用が許可されているか否かを判断し、許可されていない場合には、さらに、自装置で発生したイベントの種類に対して前記ランダムスロットの使用が許可されているか否かを判断し、許可されている場合には、該ランダムスロットを使用して前記帯域要求情報を前記基地局装置に送信する帯域要求ステップと、
を備えたことを特徴とする無線通信方法。
【請求項２】
複数の無線端末装置が共通の無線回線により基地局装置と接続され、前記基地局装置は、無線フレーム内の上り通信用帯域の区間にデマンドアサイン区間およびランダムアクセス区間を設定し、前記無線端末装置からの帯域要求情報に応じて上り通信用帯域を割り当て、前記無線端末装置は、送信するデータが発生した場合に、前記帯域要求情報を前記ランダムアクセス区間内のランダムスロットを使用して送信し、送信に成功した場合には前記基地局装置から割り当てられた通信用帯域を用いて前記データを送信する無線通信方法において、
前記無線フレーム内の上り通信用帯域の区間にさらに１以上の種類の所定のイベントのいずれかが発生したことを通知する発生通知情報を送信するための共用スロットが前記所定のイベントの種類ごとに設定され、
前記無線端末装置が、前記共用スロットのうち自装置で発生したイベントの種類に対応する共用スロットを使用して前記発生通知情報を前記基地局装置に送信するイベント発生通知ステップと、
前記基地局装置が、受信した全ての前記発生通知情報と該発生通知情報の送信に使用された共用スロットの情報に基づいて、受信した全ての前記発生通知情報に対応する前記所定のイベントの種類の全てに対して、前記帯域要求情報の送信用に前記ランダムスロットを割り当てるランダムスロット設定ステップと、
前記無線端末装置が、自装置で発生したイベントの種類に対して前記ランダムスロットが割り当てられているか否かを判断し、割り当てられている場合には、該ランダムスロットを使用して前記帯域要求情報を前記基地局装置に送信する帯域要求ステップと、
を備えたことを特徴とする無線通信方法。
【請求項３】
前記共用スロットは、前記所定のイベントの種類ごとに一意に設定されたイベントデータと、前記イベントデータが正しいことを確認するためのイベントデータ確認データとを送信するために使用される
ことを特徴とする請求項１または請求項２に記載の無線通信方法。
【請求項４】
前記共用スロットはさらに、前記無線端末装置ごとに一意に設定された無線端末データと、前記無線端末データが正しいことを確認するための無線端末確認データとを送信するために使用される
ことを特徴とする請求項３に記載の無線通信方法。
【請求項５】
複数の無線端末装置を共通の無線回線により接続し、無線フレーム内の上り通信用帯域の区間にデマンドアサイン区間およびランダムアクセス区間を設定し、前記無線端末装置から前記ランダムアクセス区間内のランダムスロットを使用して送信された帯域要求情報に応じて上り通信用帯域を割り当てる基地局装置であって、
前記無線フレーム内の上り通信用帯域の区間にさらに１以上の種類の所定のイベントのいずれかが発生したことを通知する発生通知情報を送信するための共用スロットが前記所定のイベントの種類ごとに設定され、
前記無線端末装置から、前記共用スロットのうち当該無線端末装置で発生したイベントの種類に対応する共用スロットを使用して送信された前記発生通知情報を受信する基地局受信部と、
前記基地局受信部で受信した全ての前記発生通知情報と該発生通知情報の送信に使用された共用スロットの情報に基づいて、受信した全ての前記発生通知情報に対応する前記所定のイベントの種類の全てに対してのみ、前記帯域要求情報の送信用に前記ランダムスロットの使用許可を設定する基地局送受信管理部と、
前記基地局送受信管理部が設定した前記使用許可に基づいてデータを生成する基地局フレーム生成・分解部と、
前記データを前記無線端末装置に送信する基地局送信部と、
を備えたことを特徴とする基地局装置。
【請求項６】
複数の無線端末装置を共通の無線回線により接続し、無線フレーム内の上り通信用帯域の区間にデマンドアサイン区間およびランダムアクセス区間を設定し、前記無線端末装置から前記ランダムアクセス区間内のランダムスロットを使用して送信された帯域要求情報に応じて上り通信用帯域を割り当てる基地局装置であって、
前記無線フレーム内の上り通信用帯域の区間にさらに１以上の種類の所定のイベントのいずれかが発生したことを通知する発生通知情報を送信するための共用スロットが前記所定のイベントの種類ごとに設定され、
前記無線端末装置から、前記共用スロットのうち当該無線端末装置で発生したイベントの種類に対応する共用スロットを使用して送信された前記発生通知情報を受信する基地局受信部と、
前記基地局受信部で受信した全ての前記発生通知情報と該発生通知情報の送信に使用された共用スロットの情報に基づいて、受信した全ての前記発生通知情報に対応する前記所定のイベントの種類の全てに対して、前記帯域要求情報の送信用に前記ランダムスロットを割り当てる基地局送受信管理部と、
前記基地局送受信管理部が割り当てた前記ランダムスロットに基づいてデータを生成する基地局フレーム生成・分解部と、
前記データを前記無線端末装置に送信する基地局送信部と、
を備えたことを特徴とする基地局装置。
【請求項７】
複数の無線端末装置を共通の無線回線により接続し、無線フレーム内の上り通信用帯域の区間にデマンドアサイン区間およびランダムアクセス区間を設定し、前記無線端末装置からの帯域要求情報に応じて上り通信用帯域を割り当てる基地局装置に対して、送信するデータが発生した場合に、前記帯域要求情報を前記ランダムアクセス区間内のランダムスロットを使用して送信し、送信に成功した場合には前記基地局装置から割り当てられた通信用帯域を用いて前記データを送信する無線端末装置であって、
前記無線フレーム内の上り通信用帯域の区間にさらに１以上の種類の所定のイベントのいずれかが発生したことを通知する発生通知情報を送信するための共用スロットが前記所定のイベントの種類ごとに設定され、
前記共用スロットのうち自装置で発生したイベントの種類に対応する共用スロットを使用して前記発生通知情報を前記基地局装置に送信し、また、前記基地局装置より送信されるデータを受信する端末送受信部と、
前記端末送受信部が受信した前記データに基づいて、全ての無線端末装置に対して前記ランダムスロットの使用が許可されているか否かを判断し、許可されていない場合には、さらに、自装置で発生したイベントの種類に対して前記ランダムスロットの使用が許可されているか否かを判断する端末送受信管理部と、
を備え、
前記ランダムスロットの使用が許可されている場合には、前記端末送受信部が、該ランダムスロットを使用して前記帯域要求情報を前記基地局装置に送信する
ことを特徴とする無線端末装置。
【請求項８】
複数の無線端末装置を共通の無線回線により接続し、無線フレーム内の上り通信用帯域の区間にデマンドアサイン区間およびランダムアクセス区間を設定し、前記無線端末装置からの帯域要求情報に応じて上り通信用帯域を割り当てる基地局装置に対して、送信するデータが発生した場合に、前記帯域要求情報を前記ランダムアクセス区間内のランダムスロットを使用して送信し、送信に成功した場合には前記基地局装置から割り当てられた通信用帯域を用いて前記データを送信する無線端末装置であって、
前記無線フレーム内の上り通信用帯域の区間にさらに１以上の種類の所定のイベントのいずれかが発生したことを通知する発生通知情報を送信するための共用スロットが前記所定のイベントの種類ごとに設定され、
前記共用スロットのうち自装置で発生したイベントの種類に対応する共用スロットを使用して前記発生通知情報を前記基地局装置に送信し、また、前記基地局装置より送信されるデータを受信する端末送受信部と、
前記端末送受信部が受信した前記データに基づいて、自装置で発生したイベントの種類に対して前記ランダムスロットが割り当てられているか否かを判断する端末送受信管理部と、
を備え、
前記ランダムスロットが割り当てられている場合には、前記端末送受信部が、該ランダムスロットを使用して前記帯域要求情報を前記基地局装置に送信する
ことを特徴とする無線端末装置。
【発明の詳細な説明】
【技術分野】
【０００１】
本発明は、動的な帯域の割り当てを可能とする無線通信方法、基地局装置および無線端末装置に関する。
【背景技術】
【０００２】
近年、設備制御、交通、流通、環境保全、飲食産業、農業、地震モニタリング、医療福祉などを中心とした分野において、無線タグ、Ｂｌｕｅｔｏｏｔｈ（登録商法）、ＺｉｇＢｅｅ（登録商法）等の短距離および近距離の無線通信システムによるユビキタスネットワークが普及し始めている。また、今後、アプリケーションやサービスの開発に伴い、ネットワークの利用ユーザ数の増加が期待されている。そこで、様々なアプリケーションやサービスをより多くのユーザに提供し、サービスエリアを広域化できる広域ユビキタスネットワークが注目されている。
【０００３】
このような状況において、本発明が対象とするネットワークは、固定ネットワークに接続された基地局と、広域に点在する多数の無線端末とから構成され、無線端末は基地局に直接収容されている。また、このようなネットワーク内の無線端末は、バッテリ駆動であり、データの測定と、測定したデータの送信等の最小限の機能しか有していない低消費電力・低機能の端末である。このような無線端末から基地局へのトラヒックは、（１）データ量が少ない、（２）送信間隔が比較的長い、という特徴を有する。
【０００４】
そして、このような無線端末が一つの基地局の配下に多数存在することから、そのトラヒック特性としては、アップリンクのトラヒックが多く存在し、全体のトラヒック量は増大する傾向にある。さらに、ネットワークでは、できるだけ多くの無線端末からのデータを収集するために、一台の基地局にできるだけ多くの無線端末を収容する必要がある。従って、これらのネットワークでは、一台の基地局で多数の低機能な無線端末を効率良く収容しつつ、高スループットであり、低伝送遅延時間を実現できるＭＡＣプロトコルが要求される。
【０００５】
この要求条件を満たすＭＡＣプロトコルとしては、リソース利用効率が高い集中制御方法の一つである動的スロット割当（ＤＳＡ：Ｄｙｎａｍｉｃ  Ｓｌｏｔ  Ａｓｓｉｇｎｍｅｎｔ）方法が用いられている。この方法では、アクセス方式としてＴＤＭＡ−ＴＤＤ（Ｔｉｍｅ  Ｄｉｖｉｓｉｏｎ  Ｍｕｌｔｉｐｌｅ  Ａｃｃｅｓｓ−Ｔｉｍｅ  Ｄｉｖｉｓｉｏｎ  Ｄｕｐｌｅｘ）を用いている。この方法は、基地局が無線端末からの要求に応じたスロット（帯域）を動的に割り当てるものである。
【０００６】
図１３に、ＭＡＣフレーム構成の一例を示す。ＭＡＣフレームは、上りリンクと下りリンクの２つに分割されており、下りリンクは報知区間とデマンドアサイン区間とで構成され、上りリンクはデマンドアサイン区間とランダムアクセス区間とで構成されている。
【０００７】
また、データや制御情報を送受信するために、各区間には、Ｂｃｈ（Ｂｒｏａｄｃａｓｔ  ｃｏｎｔｒｏｌ  ｃｈａｎｎｅｌ：ブロードキャスト制御チャネル）、Ｆｃｈ（Ｆｒａｍｅ  ｃｏｎｔｒｏｌ  ｃｈａｎｎｅｌ：フレーム制御チャネル）、ＲＦｃｈ（Ｒａｎｄｏｍ  ａｃｃｅｓｓ  Ｆｅｅｄｂａｃｋ  ｃｈａｎｎｅｌ：ランダムアクセスフィードバックチャネル）、Ｃｃｈ（Ｃｏｎｔｒｏｌ  Ｃｈａｎｎｅｌ：制御チャネル）、Ｄｃｈ（Ｄａｔａ  Ｃｈａｎｎｅｌ：データチャネル）、Ｒｃｈ（Ｒａｎｄｏｍ  Ａｃｃｅｓｓ  Ｃｈａｎｎｅｌ：ランダムアクセスチャネル）のチャネルが使用されている。
【０００８】
ＢＣＨは、無線端末に基地局の属性の情報（基地局ＩＤ、フレーム番号等）を報知するために用いられ、ＦＣＨは、無線端末単位で帯域割当を行うデマンドアサイン区間の帯域割当情報（割当を行った無線端末、割当開始位置、割当チャネル種別、割当帯域量等）を通知するために用いられる。Ｒｃｈは、ランダムアクセスのための固定長チャネルであり、無線端末が帯域要求（Ｒｅｓｏｕｒｃｅ  Ｒｅｑｕｅｓｔ：ＲＲＥＱ）を送信するために使用される。
【０００９】
動的スロット割当方法には、無線端末が基地局に対して帯域要求を行うためにランダムアクセスを用いるアクセス方法がある。本方法は、バースト的に発生する非周期性のデータを柔軟かつ効率よく収容できるため、上記要求条件を満たす動的スロット割当方法として広く適用されている。図１４は、本方法を用いたアクセスシーケンスの一例を示している。この例では、基地局は、ＭＡＣフレームの先頭から順にＢｃｈ、Ｆｃｈ、ＲＦｃｈを送信する。基地局配下の無線端末は、ＲＦｃｈを受信することで、そのフレームでのＲｃｈの開始位置、スロット数を知ることができる。無線端末が送信すべきデータを有する場合、データ送信のための帯域を基地局に要求する帯域要求情報:ＲＲＥＱをＲｃｈで送信するため、無線端末は、Ｅｘｐｏｎｅｎｔｉａｌバックオフアルゴリズムに基づいた送信待機時間であるバックオフ時間を他無線端末との衝突を回避するために自律的に決定する。
【００１０】
無線端末は、バックオフ時間が完了した時点で、ＲＲＥＱを該当するＲｃｈで送信する（図１４のＭＡＣＦｒａｍｅ１）。他の無線端末からのＲｃｈと衝突した場合、再送を行う。基地局では、ＲＲＥＱを正しく受信できた場合、次のフレーム（図１４のＭＡＣＦｒａｍｅ２）のＲＦｃｈでＲＲＥＱの受信成功を通知し、ＲＲＥＱから帯域要求値に相当するＤｃｈを割り当てる。また、そのＤｃｈを割り当てた次のフレーム（図１４のＭＡＣＦｒａｍｅ３）において、データに対する到達確認を無線端末に送信するためにＡＲＱ用のＣｃｈを割り当てる。このような従来技術として、非特許文献１が知られている。
【非特許文献１】５ＧＨｚ帯アドバンスドワイヤレスアクセス（ＡＷＡ）システムの開発  −ＭＡＣ／ＤＣＬ機能−  ２０００年  電子情報通信学会ソサイエティ大会  Ｂ−５−３９  ｐｐ．３２７
【発明の開示】
【発明が解決しようとする課題】
【００１１】
しかしながら、上記のランダムアクセスによる動的スロット割当方法では、特に、基地局の配下に多数の無線端末が存在する場合に、Ｒｃｈが衝突する可能性が高くなり、衝突に伴うオーバーヘッドが生じるという問題がある。このオーバーヘッドは、Ｅｘｐｏｎｅｎｔｉａｌバックオフアルゴリズムに基づいた送信待機時間により生じており、これがスループット特性を劣化させる。したがって、即時性を要求されるイベントを無線端末から基地局へ通知する場合、低遅延時間での伝送を行うことは難しいという問題がある。
【００１２】
本発明は、上記問題を解決すべくなされたもので、その目的は、即時性を要求されるイベントのような所定のイベントを無線端末装置が基地局装置に低遅延時間で通知することができる無線通信方法、基地局装置および無線端末装置を提供することにある。
【課題を解決するための手段】
【００１３】
本発明は、複数の無線端末装置が共通の無線回線により基地局装置と接続され、前記基地局装置は、無線フレーム内の上り通信用帯域の区間にデマンドアサイン区間およびランダムアクセス区間を設定し、前記無線端末装置からの帯域要求情報に応じて上り通信用帯域を割り当て、前記無線端末装置は、送信するデータが発生した場合に、前記帯域要求情報を前記ランダムアクセス区間内のランダムスロットを使用して送信し、送信に成功した場合には前記基地局装置から割り当てられた通信用帯域を用いて前記データを送信する無線通信方法において、前記無線フレーム内の上り通信用帯域の区間にさらに１以上の種類の所定のイベントのいずれかが発生したことを通知する発生通知情報を送信するための共用スロットが前記所定のイベントの種類ごとに設定され、前記無線端末装置が、前記共用スロットのうち自装置で発生したイベントの種類に対応する共用スロットを使用して前記発生通知情報を前記基地局装置に送信するイベント発生通知ステップと、前記基地局装置が、受信した全ての前記発生通知情報と該発生通知情報の送信に使用された共用スロットの情報に基づいて、受信した全ての前記発生通知情報に対応する前記所定のイベントの種類の全てに対してのみ、前記帯域要求情報の送信用に前記ランダムスロットの使用を許可するランダムスロット設定ステップと、前記無線端末装置が、全ての無線端末装置に対して前記ランダムスロットの使用が許可されているか否かを判断し、許可されていない場合には、さらに、自装置で発生したイベントの種類に対して前記ランダムスロットの使用が許可されているか否かを判断し、許可されている場合には、該ランダムスロットを使用して前記帯域要求情報を前記基地局装置に送信する帯域要求ステップと、を備えたことを特徴とする無線通信方法である。
【００１４】
また、本発明は、複数の無線端末装置が共通の無線回線により基地局装置と接続され、前記基地局装置は、無線フレーム内の上り通信用帯域の区間にデマンドアサイン区間およびランダムアクセス区間を設定し、前記無線端末装置からの帯域要求情報に応じて上り通信用帯域を割り当て、前記無線端末装置は、送信するデータが発生した場合に、前記帯域要求情報を前記ランダムアクセス区間内のランダムスロットを使用して送信し、送信に成功した場合には前記基地局装置から割り当てられた通信用帯域を用いて前記データを送信する無線通信方法において、前記無線フレーム内の上り通信用帯域の区間にさらに１以上の種類の所定のイベントのいずれかが発生したことを通知する発生通知情報を送信するための共用スロットが前記所定のイベントの種類ごとに設定され、前記無線端末装置が、前記共用スロットのうち自装置で発生したイベントの種類に対応する共用スロットを使用して前記発生通知情報を前記基地局装置に送信するイベント発生通知ステップと、前記基地局装置が、受信した全ての前記発生通知情報と該発生通知情報の送信に使用された共用スロットの情報に基づいて、受信した全ての前記発生通知情報に対応する前記所定のイベントの種類の全てに対して、前記帯域要求情報の送信用に前記ランダムスロットを割り当てるランダムスロット設定ステップと、前記無線端末装置が、自装置で発生したイベントの種類に対して前記ランダムスロットが割り当てられているか否かを判断し、割り当てられている場合には、該ランダムスロットを使用して前記帯域要求情報を前記基地局装置に送信する帯域要求ステップと、を備えたことを特徴とする無線通信方法。
【００１５】
また、本発明の無線通信方法の前記共用スロットは、前記所定のイベントの種類ごとに一意に設定されたイベントデータと、前記イベントデータが正しいことを確認するためのイベントデータ確認データとを送信するために使用されることを特徴とする。
【００１６】
また、本発明の前記共用スロットはさらに、前記無線端末装置ごとに一意に設定された無線端末データと、前記無線端末データが正しいことを確認するための無線端末確認データとを送信するために使用されることを特徴とする。
【００１７】
また、本発明は、複数の無線端末装置を共通の無線回線により接続し、無線フレーム内の上り通信用帯域の区間にデマンドアサイン区間およびランダムアクセス区間を設定し、前記無線端末装置から前記ランダムアクセス区間内のランダムスロットを使用して送信された帯域要求情報に応じて上り通信用帯域を割り当てる基地局装置であって、前記無線フレーム内の上り通信用帯域の区間にさらに１以上の種類の所定のイベントのいずれかが発生したことを通知する発生通知情報を送信するための共用スロットが前記所定のイベントの種類ごとに設定され、前記無線端末装置から、前記共用スロットのうち当該無線端末装置で発生したイベントの種類に対応する共用スロットを使用して送信された前記発生通知情報を受信する基地局受信部と、前記基地局受信部で受信した全ての前記発生通知情報と該発生通知情報の送信に使用された共用スロットの情報に基づいて、受信した全ての前記発生通知情報に対応する前記所定のイベントの種類の全てに対してのみ、前記帯域要求情報の送信用に前記ランダムスロットの使用許可を設定する基地局送受信管理部と、前記基地局送受信管理部が設定した前記使用許可に基づいてデータを生成する基地局フレーム生成・分解部と、前記データを前記無線端末装置に送信する基地局送信部と、を備えたことを特徴とする基地局装置である。
【００１８】
また、本発明は、複数の無線端末装置を共通の無線回線により接続し、無線フレーム内の上り通信用帯域の区間にデマンドアサイン区間およびランダムアクセス区間を設定し、前記無線端末装置から前記ランダムアクセス区間内のランダムスロットを使用して送信された帯域要求情報に応じて上り通信用帯域を割り当てる基地局装置であって、前記無線フレーム内の上り通信用帯域の区間にさらに１以上の種類の所定のイベントのいずれかが発生したことを通知する発生通知情報を送信するための共用スロットが前記所定のイベントの種類ごとに設定され、前記無線端末装置から、前記共用スロットのうち当該無線端末装置で発生したイベントの種類に対応する共用スロットを使用して送信された前記発生通知情報を受信する基地局受信部と、前記基地局受信部で受信した全ての前記発生通知情報と該発生通知情報の送信に使用された共用スロットの情報に基づいて、受信した全ての前記発生通知情報に対応する前記所定のイベントの種類の全てに対して、前記帯域要求情報の送信用に前記ランダムスロットを割り当てる基地局送受信管理部と、前記基地局送受信管理部が割り当てた前記ランダムスロットに基づいてデータを生成する基地局フレーム生成・分解部と、前記データを前記無線端末装置に送信する基地局送信部と、を備えたことを特徴とする基地局装置である。
【００１９】
また、本発明は、複数の無線端末装置を共通の無線回線により接続し、無線フレーム内の上り通信用帯域の区間にデマンドアサイン区間およびランダムアクセス区間を設定し、前記無線端末装置からの帯域要求情報に応じて上り通信用帯域を割り当てる基地局装置に対して、送信するデータが発生した場合に、前記帯域要求情報を前記ランダムアクセス区間内のランダムスロットを使用して送信し、送信に成功した場合には前記基地局装置から割り当てられた通信用帯域を用いて前記データを送信する無線端末装置であって、前記無線フレーム内の上り通信用帯域の区間にさらに１以上の種類の所定のイベントのいずれかが発生したことを通知する発生通知情報を送信するための共用スロットが前記所定のイベントの種類ごとに設定され、前記共用スロットのうち自装置で発生したイベントの種類に対応する共用スロットを使用して前記発生通知情報を前記基地局装置に送信し、また、前記基地局装置より送信されるデータを受信する端末送受信部と、前記端末送受信部が受信した前記データに基づいて、全ての無線端末装置に対して前記ランダムスロットの使用が許可されているか否かを判断し、許可されていない場合には、さらに、自装置で発生したイベントの種類に対して前記ランダムスロットの使用が許可されているか否かを判断する端末送受信管理部と、を備え、前記ランダムスロットの使用が許可されている場合には、前記端末送受信部が、該ランダムスロットを使用して前記帯域要求情報を前記基地局装置に送信することを特徴とする無線端末装置である。
【００２０】
また、本発明は、複数の無線端末装置を共通の無線回線により接続し、無線フレーム内の上り通信用帯域の区間にデマンドアサイン区間およびランダムアクセス区間を設定し、前記無線端末装置からの帯域要求情報に応じて上り通信用帯域を割り当てる基地局装置に対して、送信するデータが発生した場合に、前記帯域要求情報を前記ランダムアクセス区間内のランダムスロットを使用して送信し、送信に成功した場合には前記基地局装置から割り当てられた通信用帯域を用いて前記データを送信する無線端末装置であって、前記無線フレーム内の上り通信用帯域の区間にさらに１以上の種類の所定のイベントのいずれかが発生したことを通知する発生通知情報を送信するための共用スロットが前記所定のイベントの種類ごとに設定され、前記共用スロットのうち自装置で発生したイベントの種類に対応する共用スロットを使用して前記発生通知情報を前記基地局装置に送信し、また、前記基地局装置より送信されるデータを受信する端末送受信部と、前記端末送受信部が受信した前記データに基づいて、自装置で発生したイベントの種類に対して前記ランダムスロットが割り当てられているか否かを判断する端末送受信管理部と、を備え、前記ランダムスロットが割り当てられている場合には、前記端末送受信部が、該ランダムスロットを使用して前記帯域要求情報を前記基地局装置に送信することを特徴とする無線端末装置である。
【発明の効果】
【００２１】
本発明によれば、即時性を要求されるイベントのような所定のイベントを無線端末装置が基地局装置に低遅延時間で通知することができる。
【発明を実施するための最良の形態】
【００２２】
以下、本発明の実施形態について図面を参照して説明する。
図１は、本発明の実施形態に係る無線通信システムを示した概略ブロック図である。無線通信システムは、基地局１と、端末局である無線端末２−１〜２−Ｎ（以下、無線端末を代表して記載する場合、無線端末２のように記載する）とを備えている。
【００２３】
次に、本実施形態の基地局の構成について説明する。図２は本実施形態の基地局の構成を示す機能ブロック図である。基地局１は、基地局送受信部１１と、基地局フレーム生成・分解部１２と、基地局送受信管理部１３と、基地局共用スロット管理部１４と、基地局送受信制御部１５と、帯域管理部１６とを備える。
基地局送受信部１１は後述する無線端末２の端末送受信部２１とデータの送受信を行う。基地局フレーム生成・分解部１２は基地局送受信部１１が受信したデータが暗号化されている場合は暗号鍵を用いてデコードを行う。また、受信したフレーム（ＰＤＵ：Ｐｒｏｔｏｃｏｌ  Ｄａｔａ  Ｕｎｉｔ）に対してＣＲＣ（Ｃｙｃｌｉｃ  Ｒｅｄｕｎｄａｎｃｙ  Ｃｈｅｃｋ，巡回冗長検査）を用いて受信したデータが正しいか否か確認する。基地局送受信管理部１３は基地局でのデータの送受信を管理する。基地局共用スロット管理部１４は後述する共用スロットのＰＤＵの管理を行う。基地局送受信制御部１５はデータ送受信のタイミングを算出する。帯域管理部１６は通信に使用する無線の帯域を管理する。
【００２４】
次に、本実施形態の無線端末の構成について説明する。図３は本実施形態の無線端末の構成を示す機能ブロック図である。無線端末２は、端末送受信部２１と、端末フレーム生成・分解部２２と、端末送受信管理部２３と、端末共用スロット管理部２４と、端末送受信制御部２５とを備える。
端末送受信部２１は基地局の基地局送受信部１１とデータの送受信を行う。端末送受信管理部２３は、無線端末でのデータの送受信を管理する。端末共用スロット管理部２４は、共用スロット情報から送信に使用可能な共用スロット位置を特定する。端末送受信管理部２５は、端末共用スロット管理部２４が特定した共用スロット位置より送信タイミングを算出する。フレーム生成・分解部２２は、送信するデータからフレーム（ＰＤＵ）を生成する。
【００２５】
次に、本実施形態のＭＡＣフレームの構成について説明する。図４は本実施形態における共用スロットを含んだＭＡＣフレーム構成を示した構成図である。ＭＡＣフレームは、上りリンクと下りリンクの２つに分割されており、下りリンクは報知区間とデマンドアサイン区間とで構成され、上りリンクはデマンドアサイン区間とランダムアクセス区間とで構成されている。また、上りリンクのランダムアクセス区間のあとに共用区間が設定され、共用区間内には共用スロット１から共用スロットＮまでのＮ個の共用スロットが設定されている。
【００２６】
また、データや制御情報を送受信するために、各区間には、Ｂｃｈ（Ｂｒｏａｄｃａｓｔ  ｃｏｎｔｒｏｌ  ｃｈａｎｎｅｌ：ブロードキャスト制御チャネル）、Ｆｃｈ（Ｆｒａｍｅ  ｃｏｎｔｒｏｌ  ｃｈａｎｎｅｌ：フレーム制御チャネル）、ＲＦｃｈ（Ｒａｎｄｏｍ  ａｃｃｅｓｓ  Ｆｅｅｄｂａｃｋ  ｃｈａｎｎｅｌ：ランダムアクセスフィードバックチャネル）、Ｃｃｈ（Ｃｏｎｔｒｏｌ  Ｃｈａｎｎｅｌ：制御チャネル）、Ｄｃｈ（Ｄａｔａ  Ｃｈａｎｎｅｌ：データチャネル）、Ｒｃｈ（Ｒａｎｄｏｍ  Ａｃｃｅｓｓ  Ｃｈａｎｎｅｌ：ランダムアクセスチャネル）のチャネルが使用されている。
【００２７】
本実施形態では即時性が要求されるイベントごとに共用スロットを設ける。即時性が要求されるイベントとは、例えば、イベント情報を収集している基地局に対して、無線端末が直ちにイベントに関する情報を送信しなければならないイベントのことである。具体的には、無線端末が監視や観測を行っている物体に異常が発生し、無線端末が基地局に対して直ちに異常状態を送信しなければならないイベントは、即時性が要求されるイベントである。なお、本実施形態では共用区間をランダムアクセス区間の後ろに配置しているが、この位置に特定されるものではない。また、一つの即時性が要求されるイベントに対して一つの共用スロットが配置されているが、一つの即時性が要求されるイベントに対して複数の共用スロットを配置しても良い。また、共用スロットはＭＡＣフレーム中に分散して配置しても良い。また、共用スロットの配置情報は基地局１から報知されるものとする。
【００２８】
次に、本実施形態において、共用スロットで送信するフレーム（ＰＤＵ，Ｐｒｏｔｏｃｏｌ  Ｄａｔａ  Ｕｎｉｔ，プロトコル  データ  ユニット）の構成について説明する。図５（ａ）は本実施形態の共用スロットで送信される情報要素と内容を示した図である。図示する例では二行あって、情報要素「Ｄａｔａ（データ）」の内容は「イベント毎に同一のビット系列」であり、情報要素「ＦＣＳ（Ｆｒａｍｅ  Ｃｈｅｃｋ  Ｓｅｑｕｅｎｃｅ，フレーム  チェック  シーケンス）」の内容は「ＣＲＣ（Ｃｙｃｌｉｃ  Ｒｅｄｕｎｄａｎｃｙ  Ｃｈｅｃｋ，巡回冗長検査）を用いる」である。ＦＣＳはＤａｔａに基づいて生成される。本実施形態では、ＰＤＵはＤａｔａとＦＣＳという二つの情報要素から構成されており、Ｄａｔａはイベント毎に識別可能なデータである。また、ＦＣＳはＤａｔａに基づいて生成されるため、ＦＣＳもイベント毎に共通となる。すなわち、ＰＤＵはイベント毎に共通である。また、無線局と無線端末間で同一の暗号鍵を使用することで、暗号化後のＰＤＵも同一となるため、ＰＤＵを暗号化して使用することも可能である。なお、ＰＤＵは本構成に特定されるものではない。
【００２９】
なお、共用スロットで送信される情報要素に端末情報を含めてもよい。図５（ｂ）は共用スロットで送信される情報要素と内容を示した図である。図示する例では四行あって、情報要素「Ｄａｔａ（データ）」の内容は「イベント毎に同一のビット系列」であり、情報要素「ＦＣＳ（Ｆｒａｍｅ  Ｃｈｅｃｋ  Ｓｅｑｕｅｎｃｅ，フレーム  チェック  シーケンス）」の内容は「ＣＲＣ（Ｃｙｃｌｉｃ  Ｒｅｄｕｎｄａｎｃｙ  Ｃｈｅｃｋ，巡回冗長検査）を用いる」であり、ＦＣＳはＤａｔａに基づいて生成される。情報要素「端末Ｄａｔａ」の内容は「端末毎に異なるビット系列」であり、情報要素「端末ＦＣＳ（Ｆｒａｍｅ  Ｃｈｅｃｋ  Ｓｅｑｕｅｎｃｅ，フレーム  チェック  シーケンス）」の内容は「ＣＲＣ（Ｃｙｃｌｉｃ  Ｒｅｄｕｎｄａｎｃｙ  Ｃｈｅｃｋ，巡回冗長検査）を用いる」である。端末ＦＣＳは端末Ｄａｔａに基づいて生成される。情報要素に「端末Ｄａｔａ」が含まれる場合、共用スロットを介して「端末Ｄａｔａ」を受信した基地局は、どの無線端末からフレームが送られてきたか知ることができる。また、フレームを受信した基地局が「端末Ｄａｔａ」をＣＲＣで確認することで、「端末Ｄａｔａ」が送信中に壊れたか否か確認することができる。また、「端末Ｄａｔａ」が送信中に壊れた場合、基地局に到達したフレームを送信した無線端末以外の無線端末が同一の共用スロットにフレームを送信した可能性があることがわかる。
【００３０】
次に、共用スロットとＰＤＵを用いて、即時性が要求されるイベントが発生したことを無線端末から基地局へ通知する通知方法について説明する。無線端末は即時性が要求されるイベントが発生したことを基地局に通知する場合、送信対象のイベントに該当する共用スロットに対してＰＤＵを送信する。ＭＡＣフレーム内の共用スロットに関する情報（共用スロット情報）は、基地局がＲＦｃｈで無線端末に報知する。無線端末は基地局が報知した共用スロット情報を取得し、送信対象のイベントに該当する共用スロットを特定し、特定した共用スロットを用いて即時性が要求されるイベントが発生したことを基地局に通知する。
【００３１】
図６は本実施形態における共用スロット情報のイベント種別とスロット情報を示した図である。図示する例ではＮ行あって、イベント種別が「イベント１」のスロット情報は「スロット情報１（開始位置）」であり、イベント種別が「イベントＮ」のスロット情報は「スロット情報Ｎ（開始位置）」である。イベントに対応した共用スロットを特定できるように、イベント種別とスロット情報がペアになっている。スロット情報は、例えばスロットの開始位置など、送信位置を特定できる情報である。なお、一つの即時性が要求されるイベントに対して複数の共用スロットが配置されている場合は、スロット情報に各共用スロットのスロット情報が記載される。また、共用スロット情報のフォーマットは本構成に特定されるものではない。
【００３２】
図７は無線端末が即時性を要求されるイベント（以下、即時イベントと記す。）が発生したことを基地局に通知する場合での、無線端末での送信処理の流れを示したフローチャートである。送受信を行うＭＡＣフレームと同期済みの無線端末において、端末送受信管理部２３は端末送受信部１１が基地局から受信したデータに基づいて共用スロット情報を取得する（ステップＳ１０１）。続いて、端末送受信管理部２３は共用スロット情報を端末共用スロット管理部２４に通知する。端末共用スロット管理部２４は共用スロット情報より即時イベントに対応した共用スロットの開始位置（以下共用スロット開始位置と記す。）を特定し、共用スロット開始位置と即時イベントの種類を端末送受信管理部２３に通知する（ステップＳ１０２）。
【００３３】
続いて、端末送受信管理部２３は共用スロット開始位置を端末送受信制御部２５に通知する。端末送受信制御部２５は共用スロット開始位置から即時イベントが発生したことを通知するデータの送信タイミングを算出する。また、端末送受信管理部２３は即時イベントの種類を端末フレーム生成・分解部２２へ通知する。端末フレーム生成・分解部２２は即時イベントの種類からＰＤＵを生成し、端末送受信部２１に通知する（ステップＳ１０３）。続いて、端末送受信部２１はＰＤＵを端末送受信制御部２５が指示するタイミングで基地局に対して送信し（ステップＳ１０４）処理を終了する。
【００３４】
図８は無線端末が即時イベントが発生したことを基地局に通知する場合での、基地局での受信処理の流れを示したフローチャートである。基地局において、基地局送受信部１１は、基地局送受信制御部１５の指示に基づいて、共用スロットのデータを受信する（ステップＳ２０１）。基地局フレーム生成・分解部１２は受信した共用スロットに含まれるＰＤＵが暗号化されている場合は暗号鍵を用いて復号化する。続いて受信したＰＤＵ内のＤａｔａに対してＦＣＳを用いてＣＲＣチェックを実施する（ステップＳ２０２）。ＣＲＣチェックが正しければステップＳ２０４に進み、正しくなければステップＳ２０８に進む（ステップＳ２０３）。
【００３５】
ステップＳ２０４では、基地局フレーム生成・分解部１２は、基地局送受信管理部１３を介して基地局共用スロット管理部１４にＰＤＵ内のＤａｔａを通知する。基地局共用スロット管理部１４は通知されたＤａｔａと、受信した共用スロットに対応する即時イベントのＤａｔａとが同一であるか否か照合する（ステップＳ２０４）。通知されたＤａｔａと、受信した共用スロットに対応する即時イベントのＤａｔａとが同一であればステップＳ２０６に進み、同一でなければステップＳ２０８に進む（ステップＳ２０５）。
【００３６】
ステップＳ２０６では、共用スロット管理部２４はＰＤＵを受信した共用スロットに対応する即時イベントが発生したことが通知されたと判定し、続いて、共用スロット管理部２４は、ＰＤＵを受信した共用スロットに対応する即時イベントが発生したことが通知された情報を基地局送受信管理部２３に通知する（ステップＳ２０６）。なお、共用スロットで送信される情報要素に端末情報が含まれている場合は、ここで受信した端末情報に対して端末ＦＣＳを用いてＣＲＣチェックを実施する。ＣＲＣチェックが正しければ共用スロットにデータを送信した無線端末は１台であり、ＣＲＣチェックが正しくなければ共用スロットにデータを送信した無線端末は複数台であることが分かる。
【００３７】
ステップＳ２０７では、基地局送受信管理部２３は通知された即時イベントに対応する制御を起動し（ステップＳ２０７）処理を終了する。ステップＳ２０８では、基地局共用スロット管理部２４はＰＤＵを受信した共用スロットに対応する即時イベントは未通知であると判定し（ステップＳ２０８）処理を終了する。
【００３８】
以上より、共用スロットとＰＤＵを用いて、即時イベントが発生したことを無線端末から基地局へ通知することが可能となる。同時に基地局ではどの即時イベントが発生したことを通知されたか知ることができる。
【００３９】
次に、第一の具体例、第二の具体例を用いて説明する。
（第一の具体例）
本具体例では、無線端末から即時イベントが発生したことを通知された場合、基地局はランダムアクセス領域（ランダムチャネル、Ｒｃｈ）に対するアクセス規制を実施する。基地局は、共用スロットの受信処理で無線端末から即時イベントの発生通知があると判断した場合、ランダムアクセス領域についてはその即時イベントのみにアクセス権を与える。また、基地局は共用スロットの受信処理で無線端末からの即時イベントの発生通知がないと判断した場合、ランダムアクセス領域に対するアクセス規制を行わず、全てのイベントでのアクセスを許可する。
【００４０】
図９は基地局でのランダムアクセス領域に対するアクセス制御手順を示すフローチャートである。
基地局では、共用スロットの受信処理を行い（ステップＳ３０１）、基地局共用スロット管理部１４は即時イベントの発生通知がされたか否か判断し（ステップＳ３０２）、即時イベントの発生通知がされた場合はステップＳ３０３に進み、されない場合はステップＳ３０４に進む。
ステップＳ３０３では、基地局共用スロット管理部１４は通知された即時イベントを記憶部に記憶する（ステップＳ３０３）。
【００４１】
ステップＳ３０４では、基地局送受信管理部１３は全ての共用スロットの受信を完了したか否か判断し（ステップＳ３０４）、全ての共用スロットの受信を完了した場合ステップＳ３０５に進み、全ての共用スロットの受信を完了していない場合ステップＳ３０１に戻る。
ステップＳ３０５では、基地局送受信管理部１３は記憶部が記憶した即時イベントに基づいて、通知された即時イベントに対応するランダムアクセス領域のアクセスを制限させるため、ＲＦｃｈのアクセス規制ビットに対してアクセス制御フラグを立てる。続いて基地局送受信管理部１３はＲＦｃｈのデータを基地局フレーム生成・分解部１２に通知する。また、基地局送受信管理部１３は基地局送受信制御部１５にＲＦｃｈのＰＤＵの送信位置を指示する。基地局送受信制御部１５は指示された送信位置から送信タイミングを算出する。基地局フレーム生成・分解部１２はＲＦｃｈのデータからＰＤＵを生成し、基地局送受信部１１に通知する。基地局送受信部１１は次フレームにおいて、基地局送受信制御部１５から指示されたタイミングでＰＤＵを無線端末に送信する（ステップＳ３０５）。
【００４２】
なお、ステップＳ３０５でＲＦｃｈに立てるアクセス制御フラグは、イベントがＮ種類ある場合はアクセス制御フラグをＮビットとすることでＮ種類のイベントに対するアクセス規制を実現する。
【００４３】
図１０は無線端末でのランダムアクセス領域に対するアクセス制御手順を示すフローチャートである。無線端末はデータ送信を行う場合、基地局が報知するＢｃｈ、Ｆｃｈ、ＲＦｃｈの各データを受信する。Ｂｃｈ、Ｆｃｈ、ＲＦｃｈの各データを受信する手順は以下である。端末送受信管理部２３は受信位置と受信長を端末送受信制御部２５に通知する。端末送受信制御部２５は受信位置から受信タイミングを算出し、受信長と算出した受信タイミングとを端末送受信部２１に通知する。端末送受信部２１は通知された受信タイミングで受信長分データを受信する（ステップＳ４０１）。
【００４４】
端末送受信管理部２３は受信したＲＦｃｈのアクセス制御フラグを確認する（ステップＳ４０２）。使用するランダムアクセス領域のアクセス制御フラグが立っていればステップＳ４０３に進み、立っていなければ、Ｅｘｐｏｎｅｎｔｉａｌバックオフアルゴリズムによりバックオフ時間を決定し、ステップＳ４０４に進む。なお、アクセス制御フラグが立っている場合、アクセス制御フラグに対応するランダムアクセス領域のアクセス規制が行われている。
【００４５】
ステップＳ４０３では、端末送受信管理部２３は自無線端末が送信した発生通知の即時イベントに対してランダムアクセス領域がアクセス制限されているか否か（ランダムアクセス領域が使用可能か否か）判断し（ステップＳ４０３）、自無線端末が送信した発生通知の即時イベントに対してアクセス制限されている場合、本フレームのランダムアクセススロット数を初期ウィンドウサイズとし、Ｅｘｐｏｎｅｎｔｉａｌバックオフアルゴリズムによりバックオフ時間を決定し、ステップＳ４０４に進み、自無線端末が送信した発生通知の即時イベント以外の即時イベントに対してランダムアクセス領域がアクセス制限されている場合はステップＳ４０５に進む。
【００４６】
ステップＳ４０４では、自無線端末が送信した発生通知の即時イベントに対してアクセス制限されているランダムアクセス領域を使用して、端末送受信部２１はデータ送信のための帯域を基地局に要求する帯域要求情報（ＲＲＥＱ）の送信をＥｘｐｏｎｅｎｔｉａｌバックオフアルゴリズムに従い開始する。
【００４７】
ステップＳ４０５では、自無線端末が送信した発生通知の即時イベント以外の即時イベントに対してランダムアクセス領域がアクセス制限されているため、送信待機し（ステップＳ４０５）、処理を終了する。
【００４８】
以上のように、基地局および無線端末装置を制御し、即時性が要求されるイベントの発生通知に応じてランダムアクセス領域の使用を制御することで、即時性が要求されるイベントが使用する帯域を基地局に要求する帯域要求情報の送信の低遅延化が可能となる。よって即時性が要求されるイベントのデータの送信の低遅延化が可能となる。例えば、即時性が要求されないイベントが大量に通知されている場合では、ランダムアクセス領域が衝突する可能性が高くなり、衝突によるオーバーヘッドが生じる。しかしながら、第一の具体例によると、即時性が要求されるイベントの帯域要求情報の送信に対してランダムアクセス領域を専用に使用できるようにするため、即時性が要求されるイベントの帯域要求情報が使用するランダムアクセス領域においては衝突の可能性は低くなり、衝突によるオーバーヘッドも少なくなる。そのため、即時性が要求されるイベントに関するデータの通信の低遅延化が可能となる。
【００４９】
（第二の具体例）
本具体例では、無線端末から即時イベントの発生が通知された場合、基地局はランダムアクセス領域を新たに割り当てる。基地局は共用スロットの受信処理で無線端末からの即時イベントの発生通知があると判断した場合、発生通知を受けた即時イベントに対してランダムアクセス領域を新たに割り当てる。また、無線端末からの即時性が要求されるイベントの発生通知がないと判断された場合、即時性が要求されるイベントに対して割り当てられたランダムアクセス領域を解除する。なお、全端末、全イベントがアクセス可能なランダムアクセス領域は、即時イベントの発生通知によらず存在するものとする。
【００５０】
図１１は基地局でのランダムアクセス領域に対するアクセス制御手順を示すフローチャートである。基地局では、共用スロットの受信処理を行い（ステップＳ５０１）、基地局共用スロット管理部１４は即時イベントの発生通知がされたか否か判断し（ステップＳ５０２）、即時イベントの発生通知がされた場合はステップＳ５０３に進み、されない場合はステップＳ５０４に進む。ステップＳ５０３では、基地局共用スロット管理部１４は発生通知された即時イベントを記憶部に記憶する（ステップＳ５０３）。
【００５１】
ステップＳ５０４では、基地局送受信管理部１３は全ての共用スロットの受信を完了したか否か判断し（ステップＳ５０４）、全ての共用スロットの受信を完了した場合ステップＳ５０５に進み、全ての共用スロットの受信を完了していない場合ステップＳ５０１に戻る。
【００５２】
ステップＳ５０５では、基地局送受信管理部１３は記憶部が記憶した即時イベントに基づいて、通知された即時イベントに対してランダムアクセス領域を新たに割り当てるため、ランダムアクセス領域情報（領域の開始位置、スロット数など）をＲＦｃｈ内に設定する。なお、割り当てるスロット数は予め決めてもよい。続いて基地局送受信管理部１３はＲＦｃｈを基地局フレーム生成・分解部１２に通知する。また、基地局送受信管理部１３は基地局送受信制御部１５にＲＦｃｈのＰＤＵの送信位置を指示する。基地局送受信制御部１５は指示された送信位置から送信タイミングを算出する。基地局フレーム生成・分解部１２はＲＦｃｈからＰＤＵを生成し、基地局送受信部１１に通知する。基地局送受信部１１は次フレームにおいて、基地局送受信制御部１５から指示されたタイミングでＰＤＵを無線端末に送信する（ステップＳ５０５）。
【００５３】
図１２は無線端末でのランダムアクセス領域に対するアクセス制御手順を示すフローチャートである。無線端末はデータ送信を行う場合、基地局が報知するＢｃｈ、Ｆｃｈ、ＲＦｃｈの各データを受信する。Ｂｃｈ、Ｆｃｈ、ＲＦｃｈの各データを受信する手順は以下である。端末送受信管理部２３は受信位置と受信長を端末送受信制御部２５に通知する。端末送受信制御部２５は受信位置から受信タイミングを算出し、受信長と算出した受信タイミングとを端末送受信部２１に通知する。端末送受信部２１は通知された受信タイミングで受信長分データを受信する（ステップＳ６０１）。
【００５４】
端末送受信管理部２３は受信したＲＦｃｈのランダムアクセス領域情報を確認し、即時イベントに対してランダムアクセス領域が設定されているか否か（ランダムアクセス領域が使用可能か否か）判断する（ステップＳ６０２）。即時イベントに対するランダムアクセス領域が設定されている場合は、即時イベントに対するランダムアクセススロット数を初期ウィンドウサイズとし、Ｅｘｐｏｎｅｎｔｉａｌバックオフアルゴリズムによりバックオフ時間を決定し、ステップＳ６０３に進み、設定されていない場合は、Ｅｘｐｏｎｅｎｔｉａｌバックオフアルゴリズムによりバックオフ時間を決定し、ステップＳ６０４に進む。ステップＳ６０３では、即時イベントに対するランダムアクセス領域を使用して、端末送受信部２１はデータ送信のための帯域を基地局に要求する帯域要求情報（ＲＲＥＱ）の送信をＥｘｐｏｎｅｎｔｉａｌバックオフアルゴリズムに従い開始する。ステップＳ６０４では、全端末がアクセス可能なランダムアクセス領域を使用して、端末送受信部２１はデータ送信のための帯域を基地局に要求する帯域要求情報（ＲＲＥＱ）の送信をＥｘｐｏｎｅｎｔｉａｌバックオフアルゴリズムに従い開始する。
【００５５】
以上のように、基地局および無線端末装置を制御し、即時性が要求されるイベントの発生通知に応じてランダムアクセス領域を割り当てることで、即時性が要求されるイベントが使用する帯域を基地局に要求する帯域要求情報の送信の低遅延化が可能となる。よって即時性が要求されるイベントのデータの送信の低遅延化が可能となる。例えば、即時性が要求されないイベントが大量に通知されている場合では、ランダムアクセス領域が衝突する可能性が高くなり、衝突によるオーバーヘッドが生じる。しかしながら、第二の具体例によると、即時性が要求されるイベントの帯域要求情報の送信に対してランダムアクセス領域を専用に割り当てるため、即時性が要求されるイベントの帯域要求情報が使用するランダムアクセス領域においては衝突の可能性は低くなり、衝突によるオーバーヘッドも少なくなる。そのため、即時性が要求されるイベントに関するデータの通信の低遅延化が可能となる。
【００５６】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００５７】
【図１】本発明の一実施形態による無線通信システムを示した概略ブロック図である。
【図２】本実施形態の基地局の構成を示す機能ブロック図である。
【図３】本実施形態の無線端末の構成を示す機能ブロック図である。
【図４】本実施形態における共用アクセススロットを含んだＭＡＣフレーム構成を示した構成図である。
【図５】本実施形態の共用スロットで送信される情報要素と内容を示した図である。
【図６】本実施形態における共用スロット情報のイベント種別とスロット情報を示した図である。
【図７】本実施形態における無線端末での送信処理の流れを示したフローチャートである。
【図８】本実施形態における基地局での受信処理の流れを示したフローチャートである。
【図９】本実施形態における基地局でのランダムアクセス領域に対するアクセス制御手順を示すフローチャートである。
【図１０】本実施形態における無線端末でのランダムアクセス領域に対するアクセス制御手順を示すフローチャートである。
【図１１】本実施形態における基地局でのランダムアクセス領域に対するアクセス制御手順を示すフローチャートである。
【図１２】本実施形態における無線端末でのランダムアクセス領域に対するアクセス制御手順を示すフローチャートである。
【図１３】従来技術におけるフレーム構成を示した図である。
【図１４】従来技術におけるアクセスシーケンスを示した図である。
【符号の説明】
【００５８】
１・・・基地局、２−１〜２−Ｎ・・・端末極、１１・・・基地局送受信部（基地局送信部、基地局受信部）、１２・・・基地局フレーム生成・分解部、１３・・・基地局送受信管理部、１４・・・基地局共用スロット管理部、１５・・・基地局送受信制御部、１６・・・帯域管理部、２１・・・端末送受信部、２２・・・端末フレーム生成・分解部、２３・・・端末送受信管理部、２４・・・端末スロット管理部、２５・・・端末送受信制御部
【図１】
0004547403.tif 000002
【図２】
0004547403.tif 000003
【図３】
0004547403.tif 000004
【図４】
0004547403.tif 000005
【図５】
0004547403.tif 000006
【図６】
0004547403.tif 000007
【図７】
0004547403.tif 000008
【図８】
0004547403.tif 000009
【図９】
0004547403.tif 000010
【図１０】
0004547403.tif 000011
【図１１】
0004547403.tif 000012
【図１２】
0004547403.tif 000013
【図１３】
0004547403.tif 000014
【図１４】
0004547403.tif 000015